(57)【特許請求の範囲】
【請求項１】
エアフィルタ材をフィルタ枠内に配置してなるパネル型エアフィルタであって、エアフィルタ材が、網目状の基布と、その基布に編み込まれ、基布の濾過面となる一方の表面上に刷子状にフィルタ層を形成するパイルとよりなり、前記エアフィルタ材を基布の他方の表面側から支持するためにフィルタ枠内に架設した棒材からなる骨材に、前記エアフィルタ材を結束部材により結束固定したことを特徴とするパネル型エアフィルタ。
【請求項２】
結束部材は、骨材と、基布を構成する編成糸とに巻き掛け装着される留め金具であることを特徴とする請求項１記載のパネル型エアフィルタ。
【請求項３】
結束部材は、骨材と、基布を構成する編成糸とに巻き掛け装着される合成樹脂製結束バンドであることを特徴とする請求項１記載のパネル型エアフィルタ。
【発明の詳細な説明】
【技術分野】
【０００１】
本発明は、塵埃を捕集するパネル型エアフィルタに関し、特に、濾過面に付着した塵埃を掃除機等による清掃で簡単に再生可能なエアフィルタ材を具備したパネル型エアフィルタに関するものである。
【背景技術】
【０００２】
従来、図４（ａ）、（ｂ）に示すようなパネル型エアフィルタ１０１がある。
このパネル型エアフィルタ１０１は、合成繊維製不織布よりなるエアフィルタ材１０２と、このエアフィルタ材１０２の外周を着脱可能に保持するフィルタ枠１０３とを備えて構成されている。
図４（ｂ）に示すように、フィルタ枠１０３内には、エアフィルタ材１０２をその非濾過面側から支えるために、縦横に所要の骨材１０４が架設されている。
また、図４（ａ）に示すように、フィルタ枠１０３には、エアフィルタ材１０２をその濾過面側から骨材１０４に押さえ付けて保形するために、所要の押さえ部材１０５が組み付けられている。
【０００３】
ところで、このパネル型エアフィルタ１０１においては、使用に伴ってエアフィルタ材１０２の目詰まりが生じれば、フィルタ枠１０３からエアフィルタ材１０２を取り外して水洗や高圧蒸気の噴霧等による洗浄作業を行い、エアフィルタ材１０２を再生するようにしている。
また、一般に、エアフィルタ材１０２を構成する合成繊維製不織布は、合成繊維同士をバインダー剤で結合してなるものであるから、水洗や高圧蒸気の噴霧等による洗浄作業を行う毎にバインダー剤が徐々に欠落してフィルタ面の所々が剥離していき、遂にはフィルタがボロボロになって捕集効率が低下するので、通常、水洗や高圧蒸気の噴霧等による洗浄作業を３〜５回程度行えば、新品のものと交換する必要があった。
【０００４】
このため、このパネル型エアフィルタ１０１は、エアフィルタ材１０２を再生するにあたってエアフィルタ材１０２に対して水洗や高圧蒸気の噴霧等手間のかかる洗浄作業が必要であるという問題に加えて、このような洗浄作業を３〜５回程度行えば、新品のものと交換しなければならず、ランニングコストが嵩むという問題があった。
【０００５】
このような問題を解決するために、エアフィルタ材１０２に代えて、本出願人が特許文献１にて既に提案している再生式エアフィルタ材を用いることが考えられる。
この特許文献１に係る再生式エアフィルタ材は、網目状の基布と、その基布に編み込まれ、基布の表面上に刷子状にフィルタ層を形成するパイルとより構成されているので、合成繊維製不織布で構成されたエアフィルタ材１０２と比較してその耐久性が格段に優れている。
また、パイルに付着した塵埃を掃除機による吸引作業で容易に除去することができるので、簡単に再生することができる。
したがって、エアフィルタ材１０２に代えて特許文献１に係る再生式エアフィルタ材を用いる構成を採用することにより、簡易な清掃作業で再生することができるとともに、ランニングコストを大幅に削減することができる。
【特許文献１】特許第３５１０１４６号公報
【発明の開示】
【発明が解決しようとする課題】
【０００６】
しかしながら、図４（ａ）、（ｂ）に示されるパネル型エアフィルタ１０１におけるエアフィルタ材１０２に代えて特許文献１に係る再生式エアフィルタ材を用いた場合であっても、この特許文献１に係る再生式エアフィルタ材を保形するために、該再生式エアフィルタ材をその濾過面側から骨材１０４に押さえ付ける押さえ部材１０５が必要であることには変わりがない。
【０００７】
このため、図４（ａ）、（ｂ）に示されるパネル型エアフィルタ１０１におけるエアフィルタ材１０２に代えて特許文献１に係る再生式エアフィルタ材を適用したパネル型エアフィルタでは、掃除機による濾過面の清掃作業の際に、押さえ部材１０５が邪魔となり、清掃作業をスムーズに行うことができないという問題がある。
【０００８】
本発明は、上記従来のパネル型エアフィルタの有する問題点に鑑み、ランニングコストを大幅に削減することができるとともに、エアフィルタ材の再生のための清掃作業を簡易かつスムーズに行うことのできるパネル型エアフィルタを提供することを目的とする。
【課題を解決するための手段】
【０００９】
上記目的を達成するため、本発明のパネル型エアフィルタは、エアフィルタ材をフィルタ枠内に配置してなるパネル型エアフィルタであって、エアフィルタ材が、網目状の基布と、その基布に編み込まれ、基布の濾過面となる一方の表面上に刷子状にフィルタ層を形成するパイルとよりなり、前記エアフィルタ材を基布の他方の表面側から支持するためにフィルタ枠内に架設した棒材からなる骨材に、前記エアフィルタ材を結束部材により結束固定したことを特徴とする。
【００１０】
この場合において、結束部材は、骨材と、基布を構成する編成糸とに巻き掛け装着される留め金具とすることができる。
【００１１】
また、結束部材は、骨材と、基布を構成する編成糸とに巻き掛け装着される合成樹脂製結束バンドとすることができる。
【発明の効果】
【００１２】
本発明のパネル型エアフィルタによれば、エアフィルタ材として、網目状の基布と、その基布に編み込まれ、基布の濾過面となる一方の表面上に刷子状にフィルタ層を形成するパイルとより構成される耐久性に優れたエアフィルタ材が用いられているので、合成繊維製不織布よりなるエアフィルタ材１０２が用いられた従来のパネル型エアフィルタ１０１と比較してランニングコストを大幅に削減することができる。
また、エアフィルタ材を基布の他方の表面側から支持するためにフィルタ枠内に架設した棒材からなる骨材に、エアフィルタ材を結束部材により結束固定されるので、従来、掃除機による清掃作業の邪魔となっていた押さえ部材１０５が不要となり、清掃作業を簡易かつスムーズに行うことができる。
また、エアフィルタ材が骨材に対して結束部材により結束固定されることでその形状が安定的に保持されるので、掃除機による吸引清掃の際にエアフィルタ材が剥がれて損傷するといった不具合の発生を防止することができる。
【００１３】
ここで、結束部材としては、骨材と基布を構成する編成糸とに巻き掛け装着される留め金具又は合成樹脂製結束バンドのいずれを用いてもよいが、留め金具を採用し、該留め金具を留め付けるための専用工具を使用することで、骨材に対するエアフィルタ材の結束固定作業を効率良く行うことができる。
【発明を実施するための最良の形態】
【００１４】
以下、本発明のパネル型エアフィルタの実施の形態を、図面に基づいて説明する。
【実施例】
【００１５】
図１〜図２に、本発明のパネル型エアフィルタの一実施例を示す。
図１（ａ）、（ｂ）に示すように、このパネル型エアフィルタ１は、所要の幅、高さ及び厚み寸法の外観視四角形状に形成されたエアフィルタ材２と、このエアフィルタ材２の外周を保持するフィルタ枠３とを備えて構成されている。
【００１６】
エアフィルタ材２としては、特許文献１にて開示されている再生式エアフィルタ材と同様のものが用いられる。
このエアフィルタ材２は、多数の編成糸４が縦横に網目状に編成されてなる基布２ａと、その基布２ａに編み込まれたパイル２ｂとよりなる。
【００１７】
このエアフィルタ材２においては、基布２ａを予め網目状に編成し、これにパイル２ｂを編み込んでもよく、あるいは、基布２ａの編成と同時にパイル２ｂを編み込むようにしてもよい。
なお、基布２ａは、編物又は織物のいずれでもよい。
だだし、織物の場合には、エアフィルタ材としての所要の開口率を有するものとすることが望ましい。
【００１８】
また、パイル２ｂはかさ高性が１０以上の捲縮糸を用い、エアフィルタ材としての所要の密度と長さの刷子状に形成するようにする。
【００１９】
ところで、本実施例においては、捲縮糸は、パイル先端を切断して自由端としたカットパイルとした状態で使用する例を示すものであるが、先端を切断することなくループパイルとして使用しても問題はない。
【００２０】
エアフィルタ材２の基布２ａ及びパイル２ｂの材料としては、合成繊維、例えば、ナイロン、ポリエステル、ポリエチレン、ポリプロピレン、ＰＢＴ等の繊維を選択的に使用することができる。
なお、ポリエステル繊維を使用するときは、リサイクル使用に好適である。
【００２１】
また、繊維は紡績糸を使用してもよいが、毛羽立ち等の問題からフィラメント糸を使用するのが好ましく、繊維の断面形状は六葉、三角、矩形、丸等特に限定するものではない。
【００２２】
ここで、上記基布２ａ及びパイル２ｂは、消臭、脱臭、抗菌、制菌のための薬剤処理を施すことが、環境衛生上からも好ましい。
また、必要に応じて、静電気発生防止処理、撥水、撥油、防汚、難燃加工を施すことができ、耐久性と塵埃捕集効率を増大させることができる。
【００２３】
このエアフィルタ材２の捕集効率は、従来品の合成繊維製不織布よりなるエアフィルタ材１０２と同等の効果を有し、さらに、合成繊維製不織布よりなるエアフィルタ材１０２が、水洗や高圧蒸気の噴霧等による洗浄作業による再生に数回程度しか耐えられないことに対し、このエアフィルタ材２は、掃除機等による付着塵埃の吸引除去の後も劣化等することがほとんどない等の効果を有する。
【００２４】
フィルタ枠３は、図１（ａ）において左右方向に所定間隔を存して配される断面コの字形状の左側の縦桟部材５及び右側の縦桟部材６と、図１（ａ）において上下方向に所定間隔を存して配される断面コの字形状の上側の横桟部材７及び下側の横桟部材８とよりなり、各々の桟部材５，６，７，８の開口側を枠内方側に臨ませて四角枠状となるようにこれら桟部材５，６，７，８が組まれて構成されている。
図１（ｂ）に示すように、フィルタ枠３内には、エアフィルタ材２をその基布２ａ側（非濾過面側）から支えるために、左右の縦桟部材５，６を繋ぐように、また上下の横桟部材７，８を繋ぐように、金属製の細い棒材よりなる所要の骨材９が縦横に架設されている。
【００２５】
これら骨材９に対してエアフィルタ材２の複数箇所が留め金具１０（本発明の「結束部材」に相当する。）により結束固定されている。
より具体的に説明すると、図２（ａ）、（ｂ）に示すように、金属線をＣ形に成形した留め金具（Ｃリング）１０を骨材９とその骨材９の近傍に位置する編成糸４とを包み込むように位置決めして専用工具で丸め、該留め金具１０を骨材９と編成糸４とに巻き掛け装着することにより、骨材９と編成糸４とが結束され、骨材９に対してエアフィルタ材２が固定される。
なお、上記専用工具としては、例えば特開２００６−１５０５１１号公報で開示されているようなホッグリング締結装置が用いられる。
こうして、結束部材として留め金具１０を採用し、該留め金具１０を留め付けるためのホッグリング締結装置を使用することで、骨材９に対するエアフィルタ材２の結束固定作業を効率良く行うことができる。
【００２６】
以上に述べたように構成されるパネル型エアフィルタ１によれば、エアフィルタ材２として、網目状の基布２ａと、その基布２ａに編み込まれ、基布２ａの表面上に刷子状にフィルタ層を形成するパイル２ｂとより構成される耐久性に優れたエアフィルタ材２が用いられているので、合成繊維製不織布よりなるエアフィルタ材１０２が用いられた従来のパネル型エアフィルタ１０１と比較してランニングコストを大幅に削減することができる。
また、エアフィルタ材２の基布２ａ側においてフィルタ枠３内に架設された骨材９に対して該エアフィルタ材２が留め金具１０により結束固定されるので、従来、掃除機による清掃作業の邪魔となっていた押さえ部材１０５が不要となり、清掃作業を簡易かつスムーズに行うことができる。
また、エアフィルタ材２が骨材９に対して留め金具１０により結束固定されることでその形状が安定的に保持されるので、掃除機による吸引清掃の際にエアフィルタ材２が剥がれて損傷するといった不具合の発生を防止することができる。
さらに、エアフィルタ材２を掃除機によって吸引清掃することにより、従来の水洗や高圧蒸気の噴霧等による洗浄作業と比較して、エアフィルタ材２の再生に要するコストを著しく低減することができる、具体的には、１／２０程度にできる利点がある。
【００２７】
以上、本発明のパネル型エアフィルタについて、一実施例に基づいて説明したが、本発明は上記実施例に記載した構成に限定されるものではなく、その趣旨を逸脱しない範囲において適宜その構成を変更することができるものである。
【００２８】
例えば、上記実施例では、エアフィルタ材２と骨材９とを結束固定する結束部材として留め金具１０を用いた例を示したが、図３に示すように、エアフィルタ材２と骨材９とを結束固定する結束部材として合成樹脂製結束バンド１１を用いることもできる。
この場合、骨材９とその骨材９の近傍に位置する編成糸４とを包み込むように合成樹脂製結束バンド１１を巻き掛け装着し、該合成樹脂製結束バンド１１を縛り上げることにより、骨材９と編成糸４とが結束され、骨材９に対してエアフィルタ材２が固定される。
また、エアフィルタ材２と骨材９とを結束固定する結束部材の配設箇所や配設数は、本実施例のものに限定されず、パネル型エアフィルタ１の形状、用途等に応じて、適宜変更することができる。
【産業上の利用可能性】
【００２９】
本発明のパネル型エアフィルタは、ランニングコストを大幅に削減することができるとともに、エアフィルタ材の再生のための清掃作業を簡易かつスムーズに行うことができるという特性を有していることから、各種施設、地下街、工場等に備え付けられている空調設備や換気設備の粗塵捕集の用途に好適に用いることができる。
【図面の簡単な説明】
【００３０】
【図１】本発明のパネル型エアフィルタの一実施例を示す図で、（ａ）は正面図、（ｂ）は背面図である。
【図２】図２（ａ）は、図１（ｂ）のＰ部拡大図で、図２（ｂ）は、図２（ａ）のＸ−Ｘ線断面図である。
【図３】結束部材の他の態様例の説明図である。
【図４】従来のパネル型エアフィルタを示す図で、（ａ）は正面図、（ｂ）は背面図である。
【符号の説明】
【００３１】
１    パネル型エアフィルタ
２    エアフィルタ材
２ａ  基布
２ｂ  パイル
３    フィルタ枠
４    編成糸
９    骨材
１０  留め金具（結束部材）
１１  合成樹脂製結束バンド（結束部材）
【図１】
0004642828.tif 000002
【図２】
0004642828.tif 000003
【図３】
0004642828.tif 000004
【図４】
0004642828.tif 000005